(57)【要約】【課題】工場等の製造現場において着手可能な作業を的確に提示するシステムを提供する。【解決手段】製造作業の着手に必要となる原材料、設備機械や人員の条件等、作業が着手の際に要求する資源の現在の状態（画面Ａ〜画面Ｃ）と、各作業の着手に必要な前記資源の条件（画面Ｅ〜画面Ｇ）とを、入力部１３を介して受け付けて比較することにより作業の着手の可否を判定し表示部１４を通じて表示する（画面Ｈ）。このことにより製造部門の責任者の裁量の範囲内で行う作業の平準化及び変化への対応のための作業着手の意思決定を支援する。【選択図】        図９
2006146717.tif 000002
【特許請求の範囲】
【請求項１】
作業の着手可否判定をするコンピュータであって、
ある作業を着手するために必要となる資源の現在の状態を表し資源名及び資源単位から構成される資源状態情報と、前記ある作業を特定する作業名と当該作業の完了により得られる成果物を表す成果物情報と当該作業に着手するために必要となる前記資源の必要条件を表す資源要求情報とから構成される作業情報と、を少なくとも記憶する記憶領域を含む記憶部を備え、
前記成果物情報は成果物名及び成果物単位から構成され、前記資源要求情報は資源名及び資源単位から構成され、
更に、資源状態情報の入力の受付をする資源状態情報入力受付手段と、
作業情報の入力の受付をする作業情報入力受付手段と、
ある作業に着手するために必要となる全ての資源について、前記資源状態情報の資源単位が資源要求情報の資源単位と等しいか若しくは上回る場合に着手可と判定し、それ以外の場合に着手不可と判定する着手可否判定手段と、
前記着手可否判定手段の判定結果を表示する着手可否判定結果表示手段と、を備えることを特徴とするコンピュータ。
【請求項２】
請求項１に記載のコンピュータであって、
前記着手可否判定手段は、前記ある作業に着手するために必要となる全ての資源について、前記資源状態情報の資源単位が資源要求情報の資源単位と等しいか若しくは上回る場合に全部着手可と判定し、それ以外の場合で前記資源状態情報の資源単位が該作業の成果物について少なくとも１成果物単位分着手する場合に要する資源単位と等しいか若しくは上回る場合に部分着手可と判定し、それら以外の場合に着手不可と判定し、
前記着手可否判定結果表示手段は、前記着手可否判定手段において判定をした作業の作業情報の成果物情報の成果物単位を表示することを特徴とするコンピュータ。
【請求項３】
請求項１又は請求項２に記載のコンピュータであって、
前記記憶部は、前記ある作業の着手を通知し、作業名と成果物名と前記ある作業の着手により得られる予定の成果物単位とから構成される、着手指示情報を少なくとも記憶する記憶領域を含み、
前記着手指示情報の入力を受け付ける着手指示情報入力受付手段と、
前記ある作業について前記着手指示情報の入力があった場合に、前記ある作業の成果物名に対応する全ての資源について、前記資源状態情報の資源単位から該作業の着手指示情報の成果物単位に対応する該作業の資源要求情報の資源単位を減算して更新をする着手資源状態情報更新手段と、
を備えることを特徴とするコンピュータ。
【請求項４】
請求項１乃至請求項３に記載のコンピュータであって、
前記記憶部は、前記ある作業の完了を通知し、作業名と成果物名と前記ある作業の該完了により得られる成果物単位とから構成される、作業完了情報を少なくとも記憶する記憶領域を含み、
前記作業完了情報の入力を受け付ける作業完了情報入力受付手段と、
前記ある作業について前記作業完了情報の入力があった場合であってかつ該作業の成果物が他の作業に着手するために必要となる資源である場合には、資源状態情報の当該資源の資源単位に該作業の作業完了情報の成果物単位を加算して更新をする完了資源状態情報更新手段と、
を備えることを特徴とするコンピュータ。
【請求項５】
請求項１乃至請求項４に記載のコンピュータであって、
前記作業情報は、作業着手予定時期を表す着手予定時期情報を更に含み、
更に、作業を表示する最終時期を表す作業表示最終時期情報の入力の受付をする作業表示最終時期情報入力受付手段を含み、
前記着手可否判定結果表示手段は、ある作業の作業情報の着手予定時期情報が前記表示最終時期情報と同じか又は以前でありかつ当該作業の成果物単位が作業完了情報の成果物単位より大きい場合には前記着手可否判定手段の判定結果を表示することを特徴とするコンピュータ。
【請求項６】
請求項３乃至請求項５に記載のコンピュータであって、
前記記憶部は、ある製造部門の作業の平準化を図るべくある日に前記製造部門がなすべき作業の量を表示する作業平準化情報と、該ある日に着手指示をした作業の着手により得られる予定の成果物の成果物単位の合計を表す着手実績情報と、を少なくとも記憶する記憶領域を含み、
更に、前記作業平準化情報の入力の受付をする作業平準化情報入力受付手段と、
前記作業平準化情報と前記着手実績情報とを同時に表示をする作業平準化情報表示手段と、を備えることを特徴とするコンピュータ。
【請求項７】
コンピュータに作業の着手可否判定機能の実現をさせるプログラムであって、
前記コンピュータは、ある作業を着手するために必要となる資源の現在の状態を表し資源名及び資源単位から構成される資源状態情報と、前記ある作業を特定する作業名と当該作業の完了により得られる成果物を表す成果物情報と当該作業に着手するために必要となる前記資源の必要条件を表す資源要求情報とから構成される作業情報と、を少なくとも記憶する記憶領域を含む記憶部を備え、
前記成果物情報は成果物名及び成果物単位から構成され、前記資源要求情報は資源名及び資源単位から構成され、
更に、前記プログラムは前記コンピュータに、資源状態情報の入力の受付をさせる資源状態情報入力受付機能と、
作業情報の入力の受付をさせる作業情報入力受付機能と、
ある作業に着手するために必要となる全ての資源について、前記資源状態情報の資源単位が資源要求情報の資源単位と等しいか若しくは上回る場合に着手可と判定させ、それ以外の場合に着手不可と判定させる着手可否判定機能と、
前記着手可否判定機能の判定結果を表示させるための着手可否判定結果表示機能と、を実現させることを特徴とするプログラム。
【請求項８】
請求項７に記載のプログラムであって、
前記着手可否判定機能は、前記コンピュータに前記ある作業に着手するために必要となる全ての資源について、前記資源状態情報の資源単位が資源要求情報の資源単位と等しいか若しくは上回る場合に全部着手可と判定させ、前記資源状態情報の資源単位が該作業の成果物について少なくとも１成果物単位分着手する場合に要する資源単位と等しいか若しくは上回る場合に部分着手可と判定させ、それら以外の場合に着手不可と判定させ、
前記着手可否判定結果表示機能は、前記コンピュータに前記着手可否判定機能において判定をさせた作業の作業情報の成果物情報の成果物単位の表示をさせることを特徴とするプログラム。
【請求項９】
請求項７又は請求項８に記載のプログラムであって、
前記コンピュータの記憶部は更に、前記ある作業の着手を通知し、作業名と成果物名と前記ある作業の着手により得られる予定の成果物単位とから構成される、着手指示情報を少なくとも記憶する記憶領域を含み、
前記着手指示情報の入力を受け付けさせる着手指示情報入力受付機能と、
前記ある作業について前記着手指示情報の入力があった場合に、該作業の成果物名に対応する全ての資源について、前記資源状態情報の資源単位から該作業の着手指示情報の成果物単位に対応する該作業の資源要求情報の資源単位を減算させ更新をさせる着手資源状態情報更新機能と、を前記コンピュータに実現させることを特徴とするプログラム。
【請求項１０】
請求項７乃至請求項９に記載のプログラムであって、
前記コンピュータの記憶部は更に、前記ある作業の完了を通知し、作業名と成果物名と前記ある作業の該完了により得られる成果物単位とから構成される、作業完了情報を少なくとも記憶する記憶領域を含み、
前記作業完了情報の入力を受け付させる作業完了情報入力受付機能と、
前記ある作業について前記作業完了情報の入力があった場合であってかつ該作業の成果物が他の作業を着手するために必要となる資源となっている場合には、資源状態情報の当該資源の資源単位に該作業の作業完了情報の成果物単位を加算させ更新をさせる完了資源状態情報更新機能と、を前記コンピュータに実現させることを特徴とするプログラム。
【請求項１１】
請求項７乃至請求項１０に記載のプログラムであって、
前記作業情報は、作業着手予定時期を表す着手予定時期情報を更に含み、
前記着手可否判定結果表示機能は、更に、作業を表示する最終時期を表す作業表示最終時期情報の入力の受付をさせる作業表示最終時期情報入力受付機能と、
ある作業の作業情報の着手予定時期情報が前記表示最終時期情報と同じか又は以前でありかつ当該作業の成果物単位が作業完了情報の成果物単位より大きい場合には前記着手可否判定手段の判定結果を表示させる判定結果表示決定機能と、を前記コンピュータに実現させることを特徴とするプログラム。
【請求項１２】
請求項９乃至請求項１１に記載のプログラムであって、
前記コンピュータの記憶部は、ある製造部門の作業の平準化を図るべくある日に前記製造部門がなすべき作業の量を提示する作業平準化情報と、該ある日に着手指示をした作業の作業情報の着手により得られる予定の成果物単位の合計を表す着手実績情報を少なくとも記憶する記憶領域を含み、
更に、前記作業平準化情報の入力の受付をする作業平準化情報入力受付機能と、
前記作業平準化情報と前記着手実績情報とを同時に表示をする作業平準化情報着手状況情報表示機能と、を前記コンピュータに実現させることを特徴とするプログラム。
【発明の詳細な説明】
【技術分野】
【０００１】
この発明は、工場等の製造現場において、ある作業が着手の際に要求する資源の面から作業の着手が可能か否かに関する情報を提供するシステム及びプログラムに関する。より具体的には、製造作業の着手に必要となる原材料、設備機械、人員の条件等の資源情報に基づいて当該作業の着手可否情報を提供する。
【背景技術】
【０００２】
工場等の製造現場においては、工場設備や人員の効率的な運用の観点及び、突然の生産計画の変動に対する耐性等の観点から、なるべく作業工程の繁閑等の偏りが少ない方が望ましい。その一方、製造作業は生産計画に基づいて計画されるが、この生産計画に基づいて算出された計画は必ずしも偏りが少ないとは限らない。
【０００３】
このため、製造部門の責任者の裁量の範囲内で、作業の前倒し等、作業の着手のタイミングを調整したり、作業の順序を入れ替えたりすることにより、作業の平準化を行うことが製造現場において求められる場合がある。
【０００４】
とはいえ、責任者が自由気ままに作業の着手のタイミングや順序等を変更したならば、作業計画の維持も図れず生産活動を却って不経済なものとする場合も生じうる。
【０００５】
また、突発的な在庫の変動や需要の変動、生産計画の変更、アクシデント等による部品材料の確保事情の変化や人員面又は設備機械面による生産能力の変動、前工程のトラブルによる影響や、後工程や顧客の急な要望による突発的な資源状態の変化に対する対応が求められることもある。
【０００６】
これらの状況下において、作業の着手順序変更を加えることによって、作業の平準化や、変動等への対処を行うために、製造責任者はその時点においてどの作業が着手可能であるかを正確に知る必要がある。
【０００７】
【特許文献１】特開２００２−１２３６５７号公報
【０００８】
上記文献記載の発明によれば、作業間の前後関係、所要日数や進捗状況を管理することにより、作業が完了する予想日時が期限を超過しないか否かをチェックし、作業者に注意を喚起することにより生産計画を維持することに有用である。しかし、今なすべき作業を知ることはできても作業の平準化及び突発的な状況変化への対応に役立つ、どの作業に着手可能であるかについて把握する手段を提供するものではない。
【発明の開示】
【発明が解決しようとする課題】
【０００９】
従来の技術においては、生産計画の納期を変更することなく平準化及び突発的な資源状態の変化への対応を行うために作業の着手順序の変更の変更を行う際に、どの作業に着手可能であるかを製造責任者が明確に把握できる手段は提供されていない。
【００１０】
作業数が多いかあるいは作業やそれに要する資源の関係が複雑である場合や、着手に要する原材料品目や部品点数などが多岐にわたる場合には、ある作業の着手が可能であるか否かを正確に判断することは非常に困難である。
【００１１】
その結果、製造現場における作業の着手可否の判断は、現実には製造部門の責任者の経験と勘に依存しており、熟練した責任者等を持たない現場においては、作業の着手の判断が適切に行われることを必ずしも期待することはできない。
【課題を解決するための手段】
【００１２】
本発明は、これらの課題に鑑みてなされたものであり、その目的は、製造現場において製造部門の責任者に着手可能な作業を的確に提示し、作業の平準化等を通じて生産活動の効率化に資するシステムを提供することである。
【００１３】
この目的を達成するために、本発明は工場等の製造現場において着手可能な作業を的確に提示するシステムを提供する。製造作業の着手に必要となる部品材料、設備機械や人員の条件等、作業が着手の際に要求する資源の現在の状態と、各作業の着手に必要な前記資源の条件とを、入力部を介して受け付けてそれらを比較することにより作業の着手の可否を判定し、表示部を通じて表示する。このことにより、製造現場の責任者の裁量の範囲内で行う作業の平準化及び変化への対応のための作業着手の意思決定を支援する。より具体的には以下のようなものを提供する。
【００１４】
（１）作業の着手可否判定をするコンピュータであって、ある作業を着手するために必要となる資源の現在の状態を表し資源名及び資源単位から構成される資源状態情報と、前記ある作業を特定する作業名と当該作業の完了により得られる成果物を表す成果物情報と当該作業に着手するために必要となる前記資源の必要条件を表す資源要求情報とから構成される作業情報と、を少なくとも記憶する記憶領域を含む記憶部を備え、前記成果物情報は成果物名及び成果物単位から構成され、前記資源要求情報は資源名及び資源単位から構成され、更に、資源状態情報の入力の受付をする資源状態情報入力受付手段と、作業情報の入力の受付をする作業情報入力受付手段と、ある作業に着手するために必要となる全ての資源について、前記資源状態情報の資源単位が資源要求情報の資源単位と等しいか若しくは上回る場合に着手可と判定し、それ以外の場合に着手不可と判定する着手可否判定手段と、前記着手可否判定手段の判定結果を表示する着手可否判定結果表示手段と、を備えることを特徴とするコンピュータ。
【００１５】
（１）の発明によれば、当該情報提供システムが資源状態情報と作業情報とに基づいて着手可否情報を算出することができる。この着手可否情報により、作業や資源の種類が多岐にわたる場合や複雑な関係を有している場合であっても、製造現場責任者等が、前記着手可否情報に基づいて現在着手可能な作業を正確に把握でき、作業の平準化の際や突発的事情の際に必要となる、着手する作業の決定や作業の順序の検討等の意思決定を容易に行うことができる。
【００１６】
また、当該情報提供システムが着手可否情報を表示することにより、例えばシンボルマーク等を用い、着手可否情報を視覚的に認識することができ、現場において状況を的確に把握することができ、なおかつ迅速な製造作業の指示を与えることができる。
【００１７】
（２）（１）に記載のコンピュータであって、前記着手可否判定手段は、前記ある作業に着手するために必要となる全ての資源について、前記資源状態情報の資源単位が資源要求情報の資源単位と等しいか若しくは上回る場合に全部着手可と判定し、それ以外の場合で前記資源状態情報の資源単位が該作業の成果物について少なくとも１成果物単位分着手する場合に要する資源単位と等しいか若しくは上回る場合に部分着手可と判定し、それら以外の場合に着手不可と判定し、前記着手可否判定結果表示手段は、前記着手可否判定手段において判定をした作業の作業情報の成果物情報の成果物単位を表示することを特徴とするコンピュータ。
【００１８】
（２）の発明によれば、工程における資源の状態から当初に設定した作業の全ての数量の成果物の製造を行うことができない場合であっても、設定した数量のうち一部でも着手することが可能である場合には、この一部分の着手を判定することができ、これにより製造部門の責任者はより柔軟な製造活動の指示を出すことが可能になる。
【００１９】
（３）（１）又は（２）に記載のコンピュータであって、前記記憶部は、前記ある作業の着手を通知し、作業名と成果物名と前記ある作業の着手により得られる予定の成果物単位とから構成される、着手指示情報を少なくとも記憶する記憶領域を含み、前記着手指示情報の入力を受け付ける着手指示情報入力受付手段と、前記ある作業について前記着手指示情報の入力があった場合に、前記ある作業の成果物名に対応する全ての資源について、前記資源状態情報の資源単位から該作業の着手指示情報の成果物単位に対応する該作業の資源要求情報の資源単位を減算して更新をする着手資源状態情報更新手段と、を備えることを特徴とするコンピュータ。
【００２０】
（３）の発明によれば、前記ある作業に着手指示を出した際に資源状態情報の資源単位を該作業の着手に要する数量だけ減らすことが可能になる。これにより、作業の着手による資源の変化を他の作業の着手可否判定にその都度に反映し、製造部門の責任者は、ステップバイステップで正確な情報に基づいて着手指示を出すことができる。
【００２１】
なお、当該着手には、前記ある作業の全部着手のみならず、部分着手が含まれる場合がある。
【００２２】
（４）（１）乃至（３）に記載のコンピュータであって、前記記憶部は、前記ある作業の完了を通知し、作業名と成果物名と前記ある作業の該完了により得られる成果物単位とから構成される、作業完了情報を少なくとも記憶する記憶領域を含み、前記作業完了情報の入力を受け付ける作業完了情報入力受付手段と、前記ある作業について前記作業完了情報の入力があった場合であってかつ該作業の成果物が他の作業に着手するために必要となる資源である場合には、資源状態情報の当該資源の資源単位に該作業の作業完了情報の成果物単位を加算して更新をする完了資源状態情報更新手段と、を備えることを特徴とするコンピュータ。
【００２３】
（４）の発明によれば、前記ある作業が完了した際に資源状態情報の資源単位を該作業の完了により得られた成果物単位の数量だけ増やすことが可能になる。これにより作業の完了による資源の変化を他の作業の着手可否判定にその都度に反映し、製造部門の責任者は、ステップバイステップで正確な情報に基づいて着手指示を出すことができる。
【００２４】
なお、当該完了には、前記ある作業の全部完了のみならず、部分完了が含まれる場合がある。
【００２５】
（５）（１）乃至（４）に記載のコンピュータであって、前記作業情報は、作業着手予定時期を表す着手予定時期情報を更に含み、更に、作業を表示する最終時期を表す作業表示最終時期情報の入力の受付をする作業表示最終時期情報入力受付手段を含み、前記着手可否判定結果表示手段は、ある作業の作業情報の着手予定時期情報が前記表示最終時期情報と同じか又は以前でありかつ当該作業の成果物単位が作業完了情報の成果物単位より大きい場合には前記着手可否判定手段の判定結果を表示することを特徴とするコンピュータ。
【００２６】
（５）の発明によれば、既に完了した作業や、表示時期に達していない将来の作業を表示しないため、真に着手可否情報が必要な作業のみについて表示がなされ、より、状況の的確かつ迅速な把握を行うことができる。
【００２７】
（６）（１）乃至（５）に記載のコンピュータであって、前記記憶部は、ある製造部門の作業の平準化を図るべくある日に前記製造部門がなすべき作業の量を表示する作業平準化情報と、該ある日に着手指示をした作業の着手により得られる予定の成果物の成果物単位の合計を表す着手実績情報と、を少なくとも記憶する記憶領域を含み、更に、前記作業平準化情報の入力の受付をする作業平準化情報入力受付手段と、前記作業平準化情報と前記着手実績情報とを同時に表示をする作業平準化情報表示手段と、を備えることを特徴とするコンピュータ。
【００２８】
（６）の発明によれば、計画に対する着手指示をステップバイステップで積み重ねていくことで両者を対比しながら着手指示計画を練ることができる。
【００２９】
（７）コンピュータに作業の着手可否判定機能の実現をさせるプログラムであって、前記コンピュータは、ある作業を着手するために必要となる資源の現在の状態を表し資源名及び資源単位から構成される資源状態情報と、前記ある作業を特定する作業名と当該作業の完了により得られる成果物を表す成果物情報と当該作業に着手するために必要となる前記資源の必要条件を表す資源要求情報とから構成される作業情報と、を少なくとも記憶する記憶領域を含む記憶部を備え、前記成果物情報は成果物名及び成果物単位から構成され、前記資源要求情報は資源名及び資源単位から構成され、更に、前記プログラムは前記コンピュータに、資源状態情報の入力の受付をさせる資源状態情報入力受付機能と、作業情報の入力の受付をさせる作業情報入力受付機能と、ある作業に着手するために必要となる全ての資源について、前記資源状態情報の資源単位が資源要求情報の資源単位と等しいか若しくは上回る場合に着手可と判定させ、それ以外の場合に着手不可と判定させる着手可否判定機能と、前記着手可否判定機能の判定結果を表示させるための着手可否判定結果表示機能と、を実現させることを特徴とするプログラム。
【００３０】
（７）の発明によれば、（１）の発明と同様の効果が期待できる。
【００３１】
（８）（７）に記載のプログラムであって、前記着手可否判定機能は、前記コンピュータに前記ある作業に着手するために必要となる全ての資源について、前記資源状態情報の資源単位が資源要求情報の資源単位と等しいか若しくは上回る場合に全部着手可と判定させ、前記資源状態情報の資源単位が該作業の成果物について少なくとも１成果物単位分着手する場合に要する資源単位と等しいか若しくは上回る場合に部分着手可と判定させ、それら以外の場合に着手不可と判定させ、前記着手可否判定結果表示機能は、前記コンピュータに前記着手可否判定機能において判定をさせた作業の作業情報の成果物情報の成果物単位の表示をさせることを特徴とするプログラム。
【００３２】
（８）の発明によれば、（２）の発明と同様の効果が期待できる。
【００３３】
（９）（７）又は（８）に記載のプログラムであって、前記コンピュータの記憶部は更に、前記ある作業の着手を通知し、作業名と成果物名と前記ある作業の着手により得られる予定の成果物単位とから構成される、着手指示情報を少なくとも記憶する記憶領域を含み、前記着手指示情報の入力を受け付けさせる着手指示情報入力受付機能と、前記ある作業について前記着手指示情報の入力があった場合に、該作業の成果物名に対応する全ての資源について、前記資源状態情報の資源単位から該作業の着手指示情報の成果物単位に対応する該作業の資源要求情報の資源単位を減算させ更新をさせる着手資源状態情報更新機能と、を前記コンピュータに実現させることを特徴とするプログラム。
【００３４】
（９）の発明によれば、（３）の発明と同様の効果が期待できる。
【００３５】
（１０）（７）乃至（９）に記載のプログラムであって、前記コンピュータの記憶部は更に、前記ある作業の完了を通知し、作業名と成果物名と前記ある作業の該完了により得られる成果物単位とから構成される、作業完了情報を少なくとも記憶する記憶領域を含み、前記作業完了情報の入力を受け付させる作業完了情報入力受付機能と、前記ある作業について前記作業完了情報の入力があった場合であってかつ該作業の成果物が他の作業を着手するために必要となる資源となっている場合には、資源状態情報の当該資源の資源単位に該作業の作業完了情報の成果物単位を加算させ更新をさせる完了資源状態情報更新機能と、を前記コンピュータに実現させることを特徴とするプログラム。
【００３６】
（１０）の発明によれば、（４）の発明と同様の効果が期待できる。
【００３７】
（１１）（７）乃至（１０）に記載のプログラムであって、前記作業情報は、作業着手予定時期を表す着手予定時期情報を更に含み、前記着手可否判定結果表示機能は、更に、作業を表示する最終時期を表す作業表示最終時期情報の入力の受付をさせる作業表示最終時期情報入力受付機能と、ある作業の作業情報の着手予定時期情報が前記表示最終時期情報と同じか又は以前でありかつ当該作業の成果物単位が作業完了情報の成果物単位より大きい場合には前記着手可否判定手段の判定結果を表示させる判定結果表示決定機能と、を前記コンピュータに実現させることを特徴とするプログラム。
【００３８】
（１１）の発明によれば、（５）の発明と同様の効果が期待できる。
【００３９】
（１２）（９）乃至（１１）に記載のプログラムであって、前記コンピュータの記憶部は、ある製造部門の作業の平準化を図るべくある日に前記製造部門がなすべき作業の量を提示する作業平準化情報と、該ある日に着手指示をした作業の作業情報の着手により得られる予定の成果物単位の合計を表す着手実績情報を少なくとも記憶する記憶領域を含み、更に、前記作業平準化情報の入力の受付をする作業平準化情報入力受付機能と、前記作業平準化情報と前記着手実績情報とを同時に表示をする作業平準化情報着手状況情報表示機能と、を前記コンピュータに実現させることを特徴とするプログラム。
【００４０】
（１２）の発明によれば、（６）の発明と同様の効果が期待できる。
【発明の効果】
【００４１】
以上説明した本発明によれば、以下の効果が期待できる。
（ａ）製造作業の平準化を促進することにより、製造作業の効率化、製造工程の安定化に資する。
（ｂ）その日行うべき作業の量を目標として提示し、同時に現に着手した作業の量を提示して対比させ、目標の達成状況を視覚的に確認できることによる作業意欲の増進が生産効率の向上に資する。
（ｃ）製造現場において生じる突発的な状況の変化に対し、着手可否情報の提供を通じて製造作業の計画の維持、変更又は中止の意思決定を支援することにより、製造現場におけるアクシデントへの対応力の向上に資する。
【発明を実施するための最良の形態】
【００４２】
以下、本発明を実施するための最良の形態について図を参照しながら説明する。なお、これはあくまでも一例であって、本発明の技術範囲はこれに限られるものではない。
【００４３】
図１は本発明に係る着手可否情報提供システムとしてのコンピュータの構成を示すブロック図である。バス１５を介して制御部１１、記憶部１２、表示部１４及び入力部１３が結ばれており、制御部１１はコンピュータ１全体を制御する。制御部１１は、ユーザの入力を入力部１３で受け付けて必要に応じて表示部に情報を送信する。記憶部１２は、作業情報、資源状態情報その他の情報を記憶する記憶領域を含む。更に記憶部１２には着手可否情報算出プログラムが記憶されており、コンピュータ１はこのプログラムを読み出し実行することにより、上記のハードウェアと協働して各種処理を行う。また、このことによりコンピュータ１は着手可否情報提供システムとして機能する。
【００４４】
図２乃至図１４は、コンピュータ１の制御部１１が表示部１４に表示させる画面表示情報の構成の例を示す図である。
【００４５】
図２乃至図４は、資源状態情報入力画面の例を示したものである。制御部１１は、表示部１４に、原材料、機械設備、人員等の資源により構成される資源状態情報の入力欄を表示させる。製造部門の責任者はこの画面よりこれらの資源状態情報を入力することができる。なお、資源状態情報は、入力を行うのではなく生産計画システム等の他のシステムにより設定を行ってもよい。
【００４６】
図２は資源状態情報に含まれる資源のうち原材料の入力画面の例である。図中の各原料名の右の数量欄に現在の各原材料の資源単位の数値を入力する。これにより資源状態情報の各原料の資源単位の入力が受け付けられる。
【００４７】
図３は資源状態情報に含まれる資源のうち機械設備の入力画面の例である。図中の各機械設備名の右の状態欄に各機械設備の現在の状態を入力する。
【００４８】
図４は資源情報に含まれる資源のうち人員の入力画面の例である。図中の各人員名の右の人数の欄に各人員の現在の人数を入力する。
【００４９】
図５は成果物情報の入力画面の例である。制御部１１は、表示部１４に、ある作業の完了により得られる成果物名及び成果物単位により構成される成果物情報の入力欄を表示させる。図中の作業名の一つ右の成果物名欄に各作業により得られる成果物名を、更に一つ右の成果物単位欄に各作業により得られる成果物数量を入力する。
【００５０】
図６乃至図８は、資源要求情報入力画面の例を示したものである。制御部１１は、表示部１４に、ある作業の作業名及び原材料、機械設備、人員等の資源により構成される資源要求情報の入力欄を表示させる。製造部門の責任者はこの画面よりこの作業の着手に必要となる資源要求情報を入力することができる。なお、資源要求情報は、入力を行うのではなく生産計画システム等の他のシステムにより設定を行ってもよい。
【００５１】
図６は資源要求情報に含まれる資源のうち原材料の入力画面の例である。図中の各作業名と原材料名を持つ表にそれぞれの資源単位の数値を入力する。これにより各作業の資源要求情報の各原料の資源単位の入力が受け付けられる。
【００５２】
図７は資源要求情報に含まれる資源のうち機械設備の入力画面の例である。図中の各作業名と各機械設備名からなる表に各作業が要求する機械設備を入力する。
【００５３】
図８は資源要求情報に含まれる資源のうち人員の入力画面の例である。図中の各作業名と各人員名からなる表に各作業が必要とする人員の人数を入力する。
【００５４】
図９は着手可否情報表示画面の一つの例を示したものである。制御部１１は、表示部１４に、ある作業の全部着手可、部分着手可又は着手不可を表す着手可否情報を表示させる。製造部門の責任者はこの画面よりある作業の着手可否情報を認識することができる。
【００５５】
図１０は、着手指示情報入力画面の一つの例を示したものである。制御部１１は、表示部１４に、ある作業の未着手、部分着手又は全部着手の別及び当該着手した作業の完了により得られるべき成果物単位を表す着手指示情報の入力欄を表示させる。製造部門の責任者はこの画面より当該作業の着手指示情報を入力することができる。
【００５６】
図１１は、作業完了情報入力画面の一つの例を示したものである。制御部１１は、表示部１４に、ある作業の未完了、部分完了又は全部完了の別及び当該完了により現に得られた成果物単位を表す作業完了情報の入力欄を表示させる。製造部門の責任者はこの画面より実績情報として当該作業の作業完了情報を入力することができる。
【００５７】
図１２は、作業平準化情報入力画面の一つの例である。図中の「平準化計画成果物数量」とは、平準化計画を立てる製造部門の責任者が計画する成果物の成果物単位のことであり、作業平準化情報を構成する。また「成果物数量」の列は上段の各日付に対応する日ごとの成果物の成果物単位のことを表す。
【００５８】
図１３は、着手実績確認画面の一つの例である。図中の「作業計画成果物数量」とは、作業計画に基づいて算出されたある期間に成すべき全ての作業から得られる成果物単位の数量の総計を表す。「着手成果物数量」とは、ある日に着手指示を出した全ての作業から得られる成果物の数量の総計を表す。本画面には、着手成果物数量と作業平準化情報とが同時に表示され、製造部門の責任者はこれらの情報を対比しながら、その日に成すべき作業量の決定を行うことができる。
【００５９】
図１４は、完了実績確認画面の一つの例である。図中の「完了成果物数量」とは、ある期間において完了した全ての作業から得られた成果物の数量の総計を表し、「未完了成果物数量」とは、着手指示を出したもののうち、未だ完了していない作業に対応する成果物の数量の総計である。本画面には完了成果物数量と未完了成果物単位数とが同時に表示される。これにより製造部門の責任者は、実際に完了した作業と着手中の作業の状況を視覚的に把握することができる。
【００６０】
次に、図１５乃至図１７を参照しつつ本発明の動作フローについて説明する。
【００６１】
図１５乃至図１７は、着手可否情報の算出手段を示すフローである。まず、コンピュータ１の制御部１１が入力部１３を介して作業情報を取得する（Ｓ１）。次に、コンピュータ１の制御部１１が入力部１３を介して資源状態情報を取得する（Ｓ２）。次に、コンピュータ１の制御部１１が、資源要求情報及び資源状態情報に基づいてある作業の着手に必要となる全ての資源について、資源状態情報の資源単位が資源要求情報の資源単位と等しいか又はこれを上回るかによって、該ある作業は全部着手が可能であるかを判定する（Ｓ３）。全部着手が可能である場合にはＳ５に進む。それ以外の場合は、該ある作業の着手に必要となる全ての資源について、資源状態情報の資源単位が該ある作業の成果物について少なくとも１単位分着手するのに要する資源単位と等しいか又はこれを上回るかを判断することによって部分着手が可能であるかを判定する（Ｓ４）。次に、これらの判定結果を該ある作業の着手可否判定結果として表示部１４に表示させる（Ｓ５）。更に、コンピュータ１の制御部１１が、着手指示情報の入力があったか否かの判断をする（Ｓ６）。着手指示情報の入力があった場合には、コンピュータ１の制御部１１が入力部１３を介して着手指示情報を取得し（Ｓ７）、次に当該入力があった作業の着手に必要な資源単位を資源状態情報の資源単位から減算し（Ｓ８）、その後Ｓ３に戻る。着手指示情報の入力がなかった場合には、作業完了情報の入力があったか否かの判断をする（Ｓ９）。作業完了情報の入力があった場合には、コンピュータ１の制御部１１が入力部１３を介して作業完了情報を取得し（Ｓ１０）、次に当該入力があった作業の完了により得られた成果物の成果物単位を対応する資源の資源状態情報の資源単位に加算し（Ｓ１１）、その後Ｓ３に戻る。作業完了情報の入力がなかった場合には終了する。
【図面の簡単な説明】
【００６２】
【図１】本発明に係るコンピュータの全体構成を示すブロック図である。
【図２】コンピュータ１の制御部１１が表示部１４に表示させる資源状態情報入力画面の一つの例である。
【図３】コンピュータ１の制御部１１が表示部１４に表示させる資源状態情報入力画面の他の一つの例である。
【図４】コンピュータ１の制御部１１が表示部１４に表示させる資源状態情報入力画面の更に他の一つの例である。
【図５】コンピュータ１の制御部１１が表示部１４に表示させる成果物情報入力画面の一つの例である。
【図６】コンピュータ１の制御部１１が表示部１４に表示させる資源要求情報入力画面の一つの例である。
【図７】コンピュータ１の制御部１１が表示部１４に表示させる資源要求情報入力画面の他の一つの例である。
【図８】コンピュータ１の制御部１１が表示部１４に表示させる資源要求情報入力画面の更に他の一つの例である。
【図９】コンピュータ１の制御部１１が表示部１４に表示させる着手可否情報表示画面の一つの例である。
【図１０】コンピュータ１の制御部１１が表示部１４に表示させる着手指示情報入力画面の一つの例である。
【図１１】コンピュータ１の制御部１１が表示部１４に表示させる作業完了情報入力画面の一つの例である。
【図１２】コンピュータ１の制御部１１が表示部１４に表示させる作業平準化情報入力画面の一つの例である。
【図１３】コンピュータ１の制御部１１が表示部１４に表示させる着手実績確認画面の一つの例である。
【図１４】コンピュータ１の制御部１１が表示部１４に表示させる完了実績確認画面の一つの例である。
【図１５】着手可否情報の算出の手順を表すフロー図である。
【図１６】着手可否情報の算出の手順を表すフロー図である。
【図１７】着手可否情報の算出の手順を表すフロー図である。
【符号の説明】
【００６３】
１  コンピュータ
１１制御部
１２記憶部
１３入力部
１４表示部
１５バス
【図１】
2006146717.tif 000003
【図２】
2006146717.tif 000004
【図３】
2006146717.tif 000005
【図４】
2006146717.tif 000006
【図５】
2006146717.tif 000007
【図６】
2006146717.tif 000008
【図７】
2006146717.tif 000009
【図８】
2006146717.tif 000010
【図９】
2006146717.tif 000011
【図１０】
2006146717.tif 000012
【図１１】
2006146717.tif 000013
【図１２】
2006146717.tif 000014
【図１３】
2006146717.tif 000015
【図１４】
2006146717.tif 000016
【図１５】
2006146717.tif 000017
【図１６】
2006146717.tif 000018
【図１７】
2006146717.tif 000019